(57)【要約】【課題】柔軟袋を格納する格納スタンドで柔軟袋の開閉を可能にして別部品であるクリップの不要化を実現した柔軟袋の格納スタンドを提供するとともに、組立て可能にして嵩張りを防止した柔軟袋の格納スタンドを提供すること。【解決手段】液体を入れた柔軟袋１４を格納する格納スタンド２であって、柔軟袋の格納空間１０を形成し、格納された柔軟袋の側壁部を支持する周壁部４と、この周壁部の下部に設けられて柔軟袋を支持する底部６と、周壁部の上部に設けられて格納空間を開閉可能に取り付けられた蓋部８と、この蓋部と周壁部とに設けられて蓋部が閉じられた際に、柔軟袋の開口部１６を挟み込んで弾性的に把持して開口部を閉じる把持手段（把持部１８）とを備えた構成である。【選択図】        図１
2004307039.tif 000002
【特許請求の範囲】
【請求項１】
液体を入れた柔軟袋を格納する格納スタンドであって、
前記柔軟袋の格納空間を形成し、格納された前記柔軟袋の側壁部を支持する周壁部と、
この周壁部の下部に設けられて前記柔軟袋を支持する底部と、
前記周壁部の上部に設けられて前記格納空間を開閉可能に取り付けられた蓋部と、
この蓋部と前記周壁部とに設けられて前記蓋部が閉じられた際に、前記柔軟袋の開口部を挟み込んで弾性的に把持して前記開口部を閉じる把持手段と、
を備えたことを特徴とする柔軟袋の格納スタンド。
【請求項２】
前記周壁部は、前記格納空間を形成する複数の周壁板を屈曲部により折畳み可能にするとともに、前記周壁板に前記底部を形成する底板を係止させる係止部を備えたことを特徴とする請求項１記載の柔軟袋の格納スタンド。
【請求項３】
前記把持手段は、その把持を解除した際に前記柔軟袋の前記開口部が開口状態に復帰可能に弾性を以て把持することを特徴とする請求項１記載の柔軟袋の格納スタンド。
【請求項４】
前記蓋部が前記周壁部の上部にヒンジ部を介して回動可能に取り付けられるとともに、前記蓋部が閉じられた際に前記周壁部に前記蓋部を閉止状態に維持する拘止手段を備えたことを特徴とする請求項１記載の柔軟袋の格納スタンド。
【発明の詳細な説明】
【０００１】
【発明の属する技術分野】
本発明は、水等の液体が装填される柔軟袋の格納スタンドに関し、柔軟性のために自立性に乏しい柔軟袋を収納し、剛性容器と同様の使用状態を実現する格納スタンドに関する。
【０００２】
【従来の技術】
従来、ミネラル水等の商品化、その運搬及び保管には、ペットボトルと称される合成樹脂容器が多用されているが、この合成樹脂容器は、軽量で剛性が高く、内容物の多寡に関係なく一定形状を呈し、この形状維持性が廃棄上、扱い難いという指摘がある。このような剛性容器に対し、合成樹脂フィルムで袋状に形成された柔軟袋が普及している。柔軟袋は内容物の容積に応じて形状が変化し、その体積が小さなるとともに、任意に折り曲げたり、重ねたりできるため、ペットボトルのような嵩張りがない。このような柔軟袋の格納スタンドに関し、次のような特許文献が存在している。
【０００３】
【特許文献１】
特開２０００−１４２７３０号公報
【０００４】
【特許文献２】
特開２００１−３２８６７４号公報
【０００５】
特許文献１には、柔軟袋の格納スタンドや、柔軟袋の開口部である注出口を閉じるクリップが開示されている。また、特許文献２には、柔軟袋の格納スタンドの収納及び配送に関する技術が開示されている。
【０００６】
【発明が解決しようとする課題】
ところで、格納スタンドに格納された柔軟袋の注出口を閉じるには、格納スタンドと別部品であるクリップが用いられ、このクリップによって注出口を挟み、内容物である水の流出を阻止している。このようなクリップは使用の度に取り外し、使用後に取り付けなければならず、開閉の度に柔軟袋から外したクリップの置き場所を記憶に止めておく等の煩わしさがあった。
【０００７】
また、クリップの把持力によっては、柔軟袋の注出口を強固に把持し、しかも、冷蔵庫による保管で注出口がクリップを外しても閉止状態が維持され、内容物の取出しが妨げられるという不都合もある。
【０００８】
また、柔軟袋の格納スタンドは、水等が装填された柔軟袋を維持するに必要な剛性容器であるため、柔軟袋が柔軟性を有していても、配送時等に嵩張るという不都合がある。
【０００９】
そこで、本発明の第１の目的は、柔軟袋を格納する格納スタンドで柔軟袋の開閉を可能にして別部品であるクリップの不要化を実現した柔軟袋の格納スタンドを提供することにある。
【００１０】
また、本発明の第２の目的は、組立て可能にして嵩張りを防止した柔軟袋の格納スタンドを提供することにある。
【００１１】
【課題を解決するための手段】
上記第１の目的を達成するため、本発明の柔軟袋の格納スタンドは、液体を入れた柔軟袋１４を格納する格納スタンド２であって、前記柔軟袋の格納空間１０を形成し、格納された前記柔軟袋の側壁部を支持する周壁部４と、この周壁部の下部に設けられて前記柔軟袋を支持する底部６と、前記周壁部の上部に設けられて前記格納空間を開閉可能に取り付けられた蓋部８と、この蓋部と前記周壁部とに設けられて前記蓋部が閉じられた際に、前記柔軟袋の開口部１６を挟み込んで弾性的に把持して前記開口部を閉じる把持手段（把持部１８）とを備えた構成である。
【００１２】
係る構成によれば、周壁部と底部で柔軟袋の格納空間が形成され、この格納空間は周壁部に設けられた蓋部によって閉じられる。格納空間に格納された柔軟袋の開口部は、周壁部と蓋部との間に設けられた把持手段によって把持され、その開口部が弾性的に把持されて閉じられる。従って、格納空間に柔軟袋は内容物の多寡に関係なく、格納スタンドによって自立状態に保持され、その開口部が格納スタンドで開閉可能に閉じられ、しかも、その開口部が弾性的に把持されて閉じられるので、蓋部を開いた際、その開口部から内容物の取出しが妨げられることがない。
【００１３】
上記第１の目的又は上記第２の目的を達成するためには、前記周壁部は、前記格納空間を形成する複数の周壁板２０Ａ、２０Ｂ、２２、２４、２６を屈曲部２８により折畳み可能にするとともに、前記周壁板に前記底部を形成する底板４４を係止させる係止部４６、４８を備えた構成としてもよい。
【００１４】
係る構成とすれば、周壁部は、複数枚の周壁板を屈曲部で屈曲させて偏平状態に折り畳むことができるとともに、格納空間を囲い込む容器として構成することができる。また、底板を周壁板の係合部に取り付けることで、その格納空間の底部を構成することができる。
【００１５】
上記第１の目的を達成するためには、前記把持手段は、その把持を解除した際に前記柔軟袋の前記開口部が開口状態に復帰可能に弾性を以て把持する構成としてもよい。係る構成によれば、柔軟袋の開口部の閉塞状態を防止できる。
【００１６】
上記第１の目的を達成するためには、前記蓋部が前記周壁部の上部にヒンジ部１２を介して回動可能に取り付けられるとともに、前記蓋部が閉じられた際に前記周壁部に前記蓋部を閉止状態に維持する拘止手段（拘止突部３６、７２）を備えた構成としてもよい。係る構成とすれば、蓋部を周壁部に開閉可能にすることができるとともに、拘止手段によって閉塞状態を維持することができる。
【００１７】
【発明の実施の形態】
本発明の実施形態を図１ないし図３を参照して説明する。図１は本発明の実施形態に係る柔軟袋の格納スタンドの分解斜視図、図２は組立後の格納スタンドを示す斜視図、図３は柔軟袋を収納した格納スタンドの縦断面図を示している。この実施形態は、本発明の一例であって、本発明は、係る実施形態の構造、材質等に限定されるものではない。
【００１８】
この格納スタンド２は、例えば、合成樹脂で形成された周壁部４、底部６及び蓋部８を備え、周壁部４は例えば、角筒状に形成されて格納空間１０を形成し、この周壁部４の下部には底部６が取り付けられ、また、周壁部４の上部にはヒンジ部１２を介して蓋部８が開閉可能に取り付けられている。格納空間１０に格納される柔軟袋１４は、底部６及び周壁部４によって支持され、自立状態に保持される。柔軟袋１４の開口部１６は、蓋部８と周壁部４とに設けられた把持部１８によって開閉可能に保持される。
【００１９】
周壁部４は、合成樹脂等の柔軟性を持つ軽量材料で例えば、角部を湾曲させた角筒状に形成され、この実施形態では、周壁板２０Ａ、２０Ｂ、２２、２４、２６と、屈曲部２８とを以て構成されている。周壁板２２、２６には、滑り止めとしての複数のリブを傾斜方向に形成してなる凹凸部３０が形成されるとともに、補強部としての肉厚部３２が高さ方向に形成されている。周壁部４の上部には、蓋部８を回転可能に支持するためのヒンジ部１２の軸受け部３４が形成されるとともに、閉じられた蓋部８を拘止する拘止突部３６が形成されている。軸受け部３４の周囲部には、蓋部８を所定の角度で係止させる手段として複数の係止突部３５が形成され、各係止突部３５は蓋部８を係止すべき角度に対応して放射状に形成されている。周壁板２４の両側には、上方に傾斜して周壁部４に広がりを持たせる傾斜壁部３８が形成され、この傾斜壁部３８の上部には、これら傾斜壁部３８と周壁板２４とで包囲されて柔軟袋１４の開口部１６側を把持するための把持部１８の一部を構成する受け板４０が形成されている。そして、周壁板２０Ａ、２０Ｂは、その対向縁部に形成された連結部４２によって結合されている。
【００２０】
底部６は、周壁部４の下部側の開口形状に対応し、この実施形態では、角部を湾曲させた底板４４で形成され、この底板４４は周壁板２０Ａ〜２６に設けられた係止部４６、４８に把持されて係止されている。底板４４は、周壁部４と一体化されて格納空間１０を底面側から閉塞し、格納される柔軟袋１４を支持する。この底板４４には、強度を維持する手段としてリブ５０が形成されているとともに、ごみ等の残留物を廃棄する手段として、冷蔵庫等の冷気を取り込む手段として複数の透孔部５２が形成され、更には、周壁板２０Ａ、２０Ｂの連結部４２を回避する凹部５４が形成されている。
【００２１】
そして、蓋部８には、周壁部４の開口部５６を覆う閉塞部５８と、格納空間１０に格納された柔軟袋１４を露出させる例えば、半円状の切欠部６０とが設けられ、切欠部６０の縁部には軸受け部３４の対向面側に挿入されるアーム部６２が形成され、このアーム部６２の端部側には周壁部４の軸受け部３４に挿入されて蓋部８を回動可能に支持する軸部６４が形成されている。この軸部６４の後方にあるアーム部６２の表面には、軸受け部３４の周囲に形成された係止突部３５に係合させて蓋部８を所定の角度で係止させる係止突部６５が形成されている。各アーム部６２は、蓋部８の閉塞部５８の背面側に延長されて蓋部８の補強手段を構成し、周壁部４の開口部５６内に挿入される。また、閉塞部５８の周囲部には、周壁部４の周壁板２２、２４、２６の上縁部を包囲するフランジ部６６が形成されている。切欠部６０の縁部にも、蓋部８を補強する手段として同様のフランジ部６８が形成されている。
【００２２】
また、蓋部８の下面部には、周壁部４側の受け板４０の上面に対応する位置に押え板７０が突設され、この押え板７０の下縁部はテーパ状に形成されている。この押え板７０と受け板４０とを以て、柔軟袋１４の開口部１６を把持する把持部１８が構成されている。この把持部１８により柔軟袋１４を把持させるため、周壁部４の上部側に形成された拘止突部３６に対応する拘止突部７２が蓋部８のフランジ部６６にも形成されている。これら拘止突部３６、７２は、各周壁板２２、２６側のそれぞれに形成され、蓋部８が周壁部４側に閉じられた際に、各拘止突部３６の下側に各拘止突部７２が係合して拘止状態となり、蓋部８と周壁部４とが閉止し、その状態が保持される。図３は、蓋部８の閉止による柔軟袋１４の閉止状態を示している。
【００２３】
次に、格納スタンド２の組立てを図４ないし図８を参照して説明する。図４は組立て前の格納スタンドを外面側から示した図、図５は組立て前の格納スタンドを内面側から示した図、図６は組立て前の格納スタンドの連結部側を示した側面図、図７は組立て前の格納スタンドを上面側から見た平面図、図８は偏平に折り畳まれた組立て前の格納スタンドを示す斜視図である。
【００２４】
既述したように、格納スタンド２は、図４及び図５に示すように、複数枚の周壁板２０Ａ〜２６と屈曲部２８とからなる連鎖体であり、屈曲部２８は、例えば、合成樹脂で形成される場合、肉薄にすることにより、その素材が持つ柔軟性を利用して屈曲可能にしたものである。
【００２５】
周壁板２０Ａ、２０Ｂは、周壁板２４の対向面を構成しており、その中間部に連結部４２が形成されている。この実施形態の位置に連結部４２を形成するのは、角部の屈曲部２８を避け、強固な結合状態を維持し、形状保持性等の要請によるが、連結部４２は、屈曲部２８や他の周壁板２２、２６に形成してもよい。
【００２６】
この連結部４２において、周壁板２０Ａの縁部には、図６の（Ａ）に示すように、複数の嵌合溝７４と嵌合凹部７６とが交互に形成され、また、周壁板２０Ｂの縁部には、図６の（Ｂ）に示すように、嵌合溝７４に対応する嵌合突部７８、嵌合凹部７６に対応する嵌合突部８０とが交互に形成されている。
【００２７】
このような構成とすれば、周壁板２０Ａと周壁板２２とを屈曲部２８で屈曲させて重ね合わせるとともに、周壁板２４と周壁板２６とを屈曲部２８で屈曲させて重ね合わせることにより、例えば、図８に示すように、周壁部４は折り畳まれて偏平化することができ、収納や搬送等の便宜に供することができる。
【００２８】
次に、格納スタンド２における柔軟袋１４の開口部１６の把持構造を図９ないし図１２を参照して説明する。図９は把持部１８の拡大断面図、図１０及び図１１は受け板４０を示す図、図１２は柔軟袋１４の開口部１６の把持前及び把持後の形態を示す図である。
【００２９】
図９に示すように、受け板４０は周壁部４の周壁板２４と傾斜壁部３８によって支持され、周壁板２４の前縁側には、周壁板２４を延長して突出部８２が設けられている。この受け板４０の後方側上面部には蓋部８の押え板７０の先端部が当接される。この実施形態では、受け板４０は例えば、図１０に示すように、台形板であって、短辺部と各傾斜辺部とが支持され、長辺部が自由端とされており、周壁部４の周壁板２４の傾斜によって前方に張り出している。蓋部８は、受け板４０を覆うように張り出しており、そのフランジ部６６と、周壁板２４の突出部８２との間に把持される柔軟袋１４を通過させる通路８４が形成されている。このため、格納空間１０の柔軟袋１４は、その開口部１６側が受け板４０と押え板７０との間に把持されて引き出されるとともに、通路８４に突出する突出部８２で上方に押し上げられ、周壁部４の前方に張り出している蓋部８の閉塞部５８及びフランジ部６６の内壁面で案内される。
【００３０】
そして、受け板４０は、図１０に示すように、この実施形態では台形板であり、その下面側には、図１１の（Ａ）に示すように、一定の間隔で複数の溝部８６が押え板７０と直交方向に形成されており、各溝部８６は例えば、図１１の（Ｂ）に示すように、角度θのＶ字形であって、受け板４０の肉厚をｔ、溝部８６の深さをｔ１  、溝部８６の最深部側の肉厚をｔ２  とすると、ｔ＝ｔ１  ＋ｔ２  であり、ｔ１  ＞ｔ２  の関係がある。このため、受け板４０は、例えば、合成樹脂であるとすれば、その合成樹脂板の持つ柔軟性により屈曲可能である。
【００３１】
このような受け板４０と剛性の高い押え板７０とを用いれば、例えば、図１２の（Ａ）に示すように、受け板４０と押え板７０との間に柔軟袋１４の開口部１６が臨ませられ、図３に示すように、周壁部４が蓋部８で閉じられると、図１２の（Ｂ）に示すように、押え板７０の下縁が水平であるのに対し、柔軟袋１４の開口部１６側の厚みに応じて受け板４０が撓んで変形する。この結果、柔軟袋１４の開口部１６は、押え板７０と撓んで変形した受け板４０との間に把持されて閉塞される。
【００３２】
このような柔軟袋１４の閉塞状態は受け板４０側の撓み及び弾性による把持で維持されるので、図１２の（Ｂ）の把持状態から、図２に示すように、蓋部８が開かれ、図１２の（Ａ）に示すように、押え板７０が上方に移動すると、柔軟袋１４の素材が持つ弾性により、開口部１６が開状態に復帰する。このため、格納スタンド２とともに柔軟袋１４が冷蔵庫等で冷やされても、把持状態の解除により、柔軟袋１４の開口部１６を閉塞状態から、開口状態に即座に復帰させることができ、内容物である液体の注出が妨げられることがない。
【００３３】
（他の実施形態）
上記実施形態では、周壁部４と蓋部８とがヒンジ部１２によって合体する構成について例示したが、ヒンジ部１２を蓋部８側に持った開閉部を備えた構成とし、その開閉部を周壁部４に取り付ける構成としてもよい。
【００３４】
【発明の効果】
以上説明したように、本発明によれば、次の効果が得られる。
ａ  格納スタンドに格納した柔軟袋の開口部を格納スタンドの蓋部で開閉することができ、格納スタンド側の操作のみで柔軟袋の開口部の開閉を容易に行うことができ、その開口部の開閉に必要としていたクリップ等の付属部品が不要であり、利便性を高めることができる。
ｂ  周壁部が、格納空間を形成する複数の周壁板を屈曲部により折畳み可能に形成され、周壁板に底部を形成する底板を係合させる係合部を形成した構成とすれば、偏平状態に折り畳むことにより、固定容器のような嵩張りを防止でき、搬送等の取扱いを容易化することができる。
ｃ  把持手段が、その把持を解除した際に柔軟袋の開口部が開口状態に復帰可能に弾性を以て把持される構成とすれば、冷蔵庫に保管されて冷却される等しても、閉止状態から開口状態に復帰させることができ、柔軟袋から内容物の取出しを妨げることがない。
ｄ  蓋部が、周壁部の上部にヒンジ部を介して回動可能に取り付けられ、閉じられた際に周壁部に蓋部を閉止状態に維持する拘止手段を備えた構成とすれば、蓋部の開閉と柔軟袋の開口部の開閉の信頼性を高めることができる。
【図面の簡単な説明】
【図１】本発明の実施形態に係る柔軟袋の格納スタンドを示す分解斜視図である。
【図２】組み立てられた格納スタンドを示す分解斜視図である。
【図３】水が装填されている柔軟袋を格納した格納スタンドを示す縦断面図である。
【図４】外面側から見た組立前の格納スタンドを示す図である。
【図５】内面側から見た組立前の格納スタンドを示す図である。
【図６】周壁板の縁部に設けられた結合部の嵌合凹部及び嵌合突部を示し、（Ａ）はその嵌合凹部を示す図、（Ｂ）は嵌合突部を示す図である。
【図７】周壁部の上縁側を示す図である。
【図８】偏平に折り畳まれた状態の格納スタンドの周壁部を示す斜視図である。
【図９】把持部の構成を示す断面図である。
【図１０】把持部の受け板を示す図である。
【図１１】把持部の受け板を示し、（Ａ）は周壁部の内側から見た受け板を示す図、（Ｂ）は受け板の溝部を示す図である。
【図１２】把持部による柔軟袋の把持前及び把持後を示し、（Ａ）は把持前の状態を示す図、（Ｂ）は把持状態を示す図である。
【符号の説明】
２  格納スタンド
４  周壁部
６  底部
８  蓋部
１０  格納空間
１２  ヒンジ部
１４  柔軟袋
１６  開口部
１８  把持部（把持手段）
２０Ａ、２０Ｂ、２２、２４、２６  周壁板
２８  屈曲部
３６、７２  拘止突部（拘止手段）
４６、４８  係止部
４４  底板
【図１】
2004307039.tif 000003
【図２】
2004307039.tif 000004
【図３】
2004307039.tif 000005
【図４】
2004307039.tif 000006
【図５】
2004307039.tif 000007
【図６】
2004307039.tif 000008
【図７】
2004307039.tif 000009
【図８】
2004307039.tif 000010
【図９】
2004307039.tif 000011
【図１０】
2004307039.tif 000012
【図１１】
2004307039.tif 000013
【図１２】
2004307039.tif 000014